(57)【要約】【課題】携帯端末が卓上充電器にセットされた状態において、安定したＤＴＶ放送の受信を実現する。【解決手段】地上波デジタル放送が受信可能な携帯端末用の卓上充電器において、携帯端末充電の為の充電用端子と、携帯端末と接続する無線接続手段と、地上波デジタル放送用アンテナと、地上波デジタル用外部無線信号入力端子と、切り替えスイッチを設け、携帯端末が卓上充電器にセットされた際に、携帯端末に対し、無線接続手段に接続された切り替えスイッチを介して、地上波デジタル放送用アンテナからの信号か、地上波デジタル放送用外部無線信号入力端子からの信号のいずれか一方を選択し供給する事を特徴とする。【選択図】図３Ａ
2010034921.tif 000002
【特許請求の範囲】
【請求項１】
地上波デジタル放送信号が受信可能な携帯端末を充電するための充電用端子と、
前記携帯端末と接続するための無線接続手段と、
地上波デジタル放送信号を受信するための地上波デジタル放送用アンテナと、
地上波デジタル放送用の外部無線信号入力端子と、
前記地上波デジタル放送用アンテナ、前記外部無線信号入力端子、及び前記無線接続手段に接続された切り替えスイッチと
を具備し、
前記切り替えスイッチは、前記充電用端子による前記携帯端末の充電中に、前記地上波デジタル放送用アンテナからの信号か、前記外部無線信号入力端子からの信号のいずれか一方を選択し、前記無線接続手段を介して前記携帯端末に出力する
携帯端末用充電器。
【請求項２】
請求項１に記載の携帯端末用充電器であって、
前記充電用端子と前記無線接続手段を一体化した充電用端子兼無線接続手段と、
前記充電用端子兼無線接続手段を介して前記携帯端末を充電するための充電用電源ラインと、
前記切り替えスイッチと前記充電用電源ラインとの間に設けられたコンデンサと
を更に具備し、
前記コンデンサは、前記切り替えスイッチの出力を前記充電用電源ラインに重畳（ｏｖｅｒｌａｙ）し、前記充電用端子兼無線接続手段を介して前記携帯端末に出力する
携帯端末用充電器。
【請求項３】
請求項１に記載の携帯端末用充電器であって、
前記充電用端子を介して前記携帯端末を充電するための充電用電源ラインと、
前記充電用電源ラインにより駆動し、前記切り替えスイッチの出力を増幅し、前記無線接続手段を介して前記携帯端末に出力する低雑音増幅器と
を更に具備する
携帯端末用充電器。
【請求項４】
請求項１乃至３のいずれか一項に記載の携帯端末用充電器であって、
前記携帯端末と接触し、前記携帯端末の発する熱を放熱する放熱プレート
を更に具備する
携帯端末用充電器。
【請求項５】
請求項１乃至４のいずれか一項に記載の携帯端末用充電器であって、
前記外部無線信号入力端子は、同軸ケーブルを介して、外部の地上波デジタル放送用屋外アンテナからの信号を入力する
携帯端末用充電器。
【請求項６】
請求項１乃至４のいずれか一項に記載の携帯端末用充電器であって、
前記外部無線信号入力端子は、他の携帯端末用充電器からの信号を入力する
携帯端末用充電器。
【請求項７】
携帯端末用充電器と、
地上波デジタル放送信号が受信可能な携帯端末と
を含み、
前記携帯端末用充電器は、
前記携帯端末を充電するための充電用端子と、
前記携帯端末と接続するための無線接続手段と、
地上波デジタル放送信号を受信するための地上波デジタル放送用アンテナと、
地上波デジタル放送用の外部無線信号入力端子と、
前記地上波デジタル放送用アンテナ、前記外部無線信号入力端子、及び前記無線接続手段に接続された切り替えスイッチと
を具備し、
前記切り替えスイッチは、前記充電用端子による前記携帯端末の充電中に、前記地上波デジタル放送用アンテナからの信号か、前記外部無線信号入力端子からの信号のいずれか一方を選択し、前記無線接続手段を介して前記携帯端末に出力する
地上波デジタル放送受信システム。
【請求項８】
請求項７に記載の地上波デジタル放送受信システムであって、
前記携帯端末は、
地上波デジタル放送信号を受信するための地上波デジタル放送用内蔵アンテナと、
前記地上波デジタル放送用内蔵アンテナの出力と前記無線接続手段の出力とを入力し、前記地上波デジタル放送用内蔵アンテナの出力か、前記無線接続手段の出力のいずれか一方を選択して出力する内蔵切り替えスイッチと
を具備する
地上波デジタル放送受信システム。
【請求項９】
請求項８に記載の地上波デジタル放送受信システムであって、
前記携帯端末用充電器は、
前記充電用端子と前記無線接続手段を一体化した充電用端子兼無線接続手段と、
前記充電用端子兼無線接続手段を介して前記携帯端末を充電するための充電用電源ラインと、
前記切り替えスイッチと前記充電用電源ラインとの間に設けられたコンデンサと
を更に具備し、
前記コンデンサは、前記切り替えスイッチの出力を前記充電用電源ラインに重畳（ｏｖｅｒｌａｙ）し、前記充電用端子兼無線接続手段を介して前記携帯端末に出力する
地上波デジタル放送受信システム。
【請求項１０】
請求項９に記載の地上波デジタル放送受信システムであって、
前記携帯端末は、
前記充電用端子兼無線接続手段と接続された内蔵コンデンサ
を更に具備し、
前記内蔵切り替えスイッチは、前記地上波デジタル放送用内蔵アンテナの出力と前記内蔵コンデンサの出力とを入力し、前記地上波デジタル放送用内蔵アンテナの出力か、前記内蔵コンデンサの出力のいずれか一方を選択して出力する
地上波デジタル放送受信システム。
【請求項１１】
請求項７又は８に記載の地上波デジタル放送受信システムであって、
前記携帯端末用充電器は、
前記充電用端子を介して前記携帯端末を充電するための充電用電源ラインと、
前記充電用電源ラインにより駆動し、前記切り替えスイッチの出力を増幅し、前記無線接続手段を介して前記携帯端末に出力する低雑音増幅器と
を更に具備する
地上波デジタル放送受信システム。
【請求項１２】
請求項７乃至１１のいずれか一項に記載の地上波デジタル放送受信システムであって、
前記携帯端末用充電器は、
前記携帯端末と接触し、前記携帯端末の発する熱を放熱する放熱プレート
を更に具備する
地上波デジタル放送受信システム。
【請求項１３】
請求項７乃至１２のいずれか一項に記載の地上波デジタル放送受信システムであって、
前記外部無線信号入力端子は、同軸ケーブルを介して、外部の地上波デジタル放送用屋外アンテナからの信号を入力する
地上波デジタル放送受信システム。
【請求項１４】
請求項７乃至１２のいずれか一項に記載の地上波デジタル放送受信システムであって、
前記外部無線信号入力端子は、他の地上波デジタル放送受信システムからの信号を入力する
地上波デジタル放送受信システム。
【請求項１５】
地上波デジタル放送信号が受信可能な携帯端末を携帯端末用充電器にセットし充電を行いながら地上波デジタル放送信号の受信を行う地上波デジタル放送受信方法であって、
前記携帯端末用充電器が、充電用端子を介して前記携帯端末を充電するステップと、
前記携帯端末用充電器が、無線接続手段を介して前記携帯端末と接続するステップと、
前記携帯端末用充電器が、地上波デジタル放送用アンテナを介して地上波デジタル放送信号を受信するステップと、
前記携帯端末用充電器が、地上波デジタル放送用の外部無線信号入力端子を介して、外部からの信号を入力するステップと、
前記携帯端末用充電器が、切り替えスイッチを介して、前記充電用端子を介した前記携帯端末の充電中に、前記地上波デジタル放送用アンテナからの信号か、前記外部無線信号入力端子からの信号のいずれか一方を選択し、前記無線接続手段を介して前記携帯端末に出力するステップと
を含む
地上波デジタル放送受信方法。
【請求項１６】
請求項１５に記載の地上波デジタル放送受信方法であって、
前記携帯端末が、地上波デジタル放送用内蔵アンテナを介して地上波デジタル放送信号を受信するステップと、
前記携帯端末が、内蔵切り替えスイッチを介して、前記地上波デジタル放送用内蔵アンテナの出力と前記無線接続手段の出力とを入力し、前記地上波デジタル放送用内蔵アンテナの出力か、前記無線接続手段の出力のいずれか一方を選択して出力するステップと
を更に含む
地上波デジタル放送受信方法。
【請求項１７】
請求項１６に記載の地上波デジタル放送受信方法であって、
前記携帯端末用充電器が、前記切り替えスイッチと前記充電用電源ラインとの間に設けられたコンデンサを介して、前記切り替えスイッチの出力を、前記充電用端子兼無線接続手段を介して前記携帯端末を充電するための充電用電源ラインに重畳（ｏｖｅｒｌａｙ）するステップと、
前記携帯端末用充電器が、前記充電用端子と前記無線接続手段を一体化した充電用端子兼無線接続手段を介して、前記充電用電源ラインに重畳された切り替えスイッチの出力を前記携帯端末に出力するステップと
を更に含み、
地上波デジタル放送受信方法。
【請求項１８】
請求項１７に記載の地上波デジタル放送受信方法であって、
前記携帯端末が、前記内蔵切り替えスイッチを介して、前記地上波デジタル放送用内蔵アンテナの出力と、前記充電用端子兼無線接続手段と接続された内蔵コンデンサの出力とを入力し、前記地上波デジタル放送用内蔵アンテナの出力か、前記内蔵コンデンサの出力のいずれか一方を選択して出力するステップ
を更に含む
地上波デジタル放送受信方法。
【請求項１９】
請求項１５又は１６に記載の地上波デジタル放送受信方法であって、
前記携帯端末用充電器が、前記充電用端子を介して前記携帯端末を充電するための充電用電源ラインにより駆動する低雑音増幅器を介して、前記切り替えスイッチの出力を増幅し、前記無線接続手段を介して前記携帯端末に出力するステップ
を更に含む
地上波デジタル放送受信方法。
【請求項２０】
請求項１５乃至１９のいずれか一項に記載の地上波デジタル放送受信方法であって、
前記携帯端末用充電器が、前記携帯端末と接触する放熱プレートを介して、前記携帯端末の発する熱を放熱するステップ
を更に含む
地上波デジタル放送受信方法。
【請求項２１】
請求項１５乃至２０のいずれか一項に記載の地上波デジタル放送受信方法であって、
前記外部無線信号入力端子が、同軸ケーブルを介して、外部の地上波デジタル放送用屋外アンテナからの信号を入力するステップ
を更に含む
地上波デジタル放送受信方法。
【請求項２２】
請求項１５乃至２０のいずれか一項に記載の地上波デジタル放送受信方法であって、
前記外部無線信号入力端子が、他の地上波デジタル放送受信方法からの信号を入力するステップ
を更に含む
地上波デジタル放送受信方法。
【発明の詳細な説明】
【技術分野】
【０００１】
本発明は、携帯端末用充電器に関し、特にアンテナ機能を備えた携帯端末用充電器に関する。
【背景技術】
【０００２】
従来の地上波デジタル（ＤＴＶ：Ｄｉｇｉｔａｌ  Ｔｅｌｅｖｉｓｉｏｎ）放送は、ＤＴＶ放送信号を受信可能な携帯端末を利用者（ユーザ）が卓上充電器にセットし充電を行いながらＤＴＶ放送信号の受信を行う場合、携帯端末に内蔵されたＤＴＶ用アンテナを用いて視聴されていた。卓上充電器で充電を行いながらのＤＴＶ放送の視聴（ＤＴＶ視聴）は、主に帰宅後、屋内（室内）で行われている。
【０００３】
しかし、室内でのＤＴＶ放送信号の強度は、その地域、建物の構造、居室の位置等により変動する為、携帯端末に内蔵されたアンテナでは視聴できないエリアが多く存在した。すなわち、携帯端末に内蔵されたアンテナを用いてＤＴＶ放送信号を受信する場合、室内でのＤＴＶ放送の視聴ができない場所が少なからず存在する。
【０００４】
また、携帯端末に内蔵されたアンテナ特性を補う目的で外部アンテナ等も発売されているが、携帯性に主眼を置いている為、高利得のアンテナを実現する事が困難であった。
【０００５】
また、携帯端末を卓上充電器にセットして充電しながらＤＴＶ放送の視聴を行う場合、充電動作とＤＴＶ視聴によるＣＰＵ（Ｃｅｎｔｒａｌ  Ｐｒｏｃｅｓｓｉｎｇ  Ｕｎｉｔ）や表示部への高負荷状態による発熱の問題があり、ある一定温度に達すると、充電もしくはＤＴＶの視聴動作のいずれか、又は両方を停止させるように制御して、発熱を抑える処理が行われていた。その為、充電時間が長くなる、又はＤＴＶ放送が視聴できなくなる等の問題を有していた。
【０００６】
図１を参照して、従来のＤＴＶ放送信号が受信可能な携帯端末を卓上充電器にセットし充電を行いながらＤＴＶ受信を行う場合について説明する。携帯端末２を卓上充電器１にセットした状態において、ＤＴＶ用内蔵アンテナ２１から入力されたＤＴＶ放送信号はＤＴＶ受信部２２に入力され、ＤＴＶ受信部２２において信号処理された画像データ（映像データ）はＤＴＶ表示部２３において表示される。通常、卓上充電器１で充電を行いながらのＤＴＶ放送の視聴は屋内で行われているが、ＤＴＶ放送信号の弱い地域、建物の構造等の条件が重なると、十分な信号強度が得られず、携帯端末に内蔵されたアンテナでは利得が不足し、ＤＴＶ放送の受信が出来ない可能性があった。
【０００７】
この問題を解決する為に、図２に示すように、ＤＴＶ用外部アンテナ３を接続し、ＤＴＶ用内蔵アンテナ２１の特性を補完する手法等も知られている。しかし、ＤＴＶ用外部アンテナ３も、携帯端末に取り付ける事を目的としており、形状の大きな高利得のアンテナを取り付ける事が困難であり、大幅な特性改善は望めなかった。
【０００８】
関連する技術として、特開２００１−１６８９８２号公報（特許文献１）にアンテナ付き充電器が開示されている。
この関連技術では、充電器は、携帯電話機を固定する携帯電話機固定部および携帯電話機の二次電池を充電する為の電源コネクタに加えて、外部アンテナを接続するアンテナコネクタを備え、アンテナコネクタを介して外部アンテナを接続することにより、アンテナ付き充電器となる。携帯電話機は、内蔵アンテナを外部アンテナに切り替える切替スイッチを有している。アンテナコネクタは、外部アンテナをケーブルにより引き込む先端に取り付けられたアンテナコネクタを差し込むことにより、アンテナ結合部まで接続することができる。アンテナ結合部は、携帯電話機の外部アンテナ結合部と結合して外部アンテナと携帯電話機との間で授受されるＲＦ（Ｒａｄｉｏ  Ｆｒｅｑｕｅｎｃｙ）信号を伝送中継する。
【０００９】
また、特開２００６−１４０９７７号公報（特許文献２）に携帯電話機におけるデータ格納システムが開示されている。
この関連技術では、データ格納システムは、携帯電話機、外部接続端子、充電器、アンテナ付き電源ケーブル、データ放送局から構成されている。データ放送はＦＭデータ放送（ＦＭ：Ｆｒｅｑｕｅｎｃｙ  Ｍｏｄｕｌａｔｉｏｎ）を利用する。ＦＭ波の特性からアンテナは所定の長さが必要であり、電源ケーブルはその内部に電線とともに十分な長さのアンテナ線を設けることが可能であり、適切な受信を望めるアンテナとすることが出来る。なお、ＦＭデータ放送以外に、ＢＳデジタル放送、地上波データ放送を採用しても良い。
【００１０】
また、特開２００６−３０３８０４号公報（特許文献３）に無線通信装置および無線通信方法が開示されている。
この関連技術では、変動する制御情報データ量のうち最少のデータ量と等しいサイズがデフォルトの制御情報フィールドのサイズとして設定されている。物理チャネル構成部は、制御情報データ量がデフォルトの制御情報フィールドのサイズと同じ場合は、制御情報データを制御情報フィールドへ割り当て、ユーザ情報データをユーザ情報フィールドへ割り当てて物理チャネルのフレームを生成する。一方、制御情報データ量がデフォルトの制御情報フィールドサイズを超える場合には、物理チャネル構成部は、制御情報フィールドのサイズが制御情報データ量となるよう制御情報フィールドを拡張する。
【００１１】
【特許文献１】特開２００１−１６８９８２号公報
【特許文献２】特開２００６−１４０９７７号公報
【特許文献３】特開２００６−３０３８０４号公報
【発明の開示】
【発明が解決しようとする課題】
【００１２】
ＤＴＶ放送信号が受信可能な携帯端末用の、卓上充電器において、ＤＴＶ用外部無線信号入力端子を設け、外部無線信号入力端子に一般家庭でＤＴＶ視聴時に使用される、屋外アンテナからの信号を接続可能にする事によって、携帯端末が卓上充電器にセットされた際に、携帯端末に対し無線接続手段に接続された切り替えスイッチを介して、卓上充電器に備えられたＤＴＶ用アンテナからの信号か、ＤＴＶ用外部無線信号入力端子からの信号のいずれか一方を選択し供給する。
【００１３】
また、卓上充電器において、携帯端末と接触し放熱を促す放熱プレートを備える事によって、携帯端末の温度上昇を抑制する。
【課題を解決するための手段】
【００１４】
本発明の携帯端末用充電器は、地上波デジタル放送信号が受信可能な携帯端末を充電するための充電用端子と、携帯端末と接続するための無線接続手段と、地上波デジタル放送信号を受信するための地上波デジタル放送用アンテナと、地上波デジタル放送用の外部無線信号入力端子と、地上波デジタル放送用アンテナ、外部無線信号入力端子、及び無線接続手段に接続された切り替えスイッチとを具備する。切り替えスイッチは、充電用端子による携帯端末の充電中に、地上波デジタル放送用アンテナからの信号か、外部無線信号入力端子からの信号のいずれか一方を選択し、無線接続手段を介して携帯端末に出力する。
【００１５】
本発明の地上波デジタル放送受信システムは、携帯端末用充電器と、地上波デジタル放送信号が受信可能な携帯端末とを含む。携帯端末用充電器は、携帯端末を充電するための充電用端子と、携帯端末と接続するための無線接続手段と、地上波デジタル放送信号を受信するための地上波デジタル放送用アンテナと、地上波デジタル放送用の外部無線信号入力端子と、地上波デジタル放送用アンテナ、外部無線信号入力端子、及び無線接続手段に接続された切り替えスイッチとを具備する。切り替えスイッチは、充電用端子による携帯端末の充電中に、地上波デジタル放送用アンテナからの信号か、外部無線信号入力端子からの信号のいずれか一方を選択し、無線接続手段を介して携帯端末に出力する。
【００１６】
本発明の地上波デジタル放送受信方法は、地上波デジタル放送信号が受信可能な携帯端末を携帯端末用充電器にセットし充電を行いながら地上波デジタル放送信号の受信を行う地上波デジタル放送受信方法である。この地上波デジタル放送受信方法は、携帯端末用充電器が、充電用端子を介して携帯端末を充電するステップと、携帯端末用充電器が、無線接続手段を介して携帯端末と接続するステップと、携帯端末用充電器が、地上波デジタル放送用アンテナを介して地上波デジタル放送信号を受信するステップと、携帯端末用充電器が、地上波デジタル放送用の外部無線信号入力端子を介して、外部からの信号を入力するステップと、携帯端末用充電器が、切り替えスイッチを介して、充電用端子を介した携帯端末の充電中に、地上波デジタル放送用アンテナからの信号か、外部無線信号入力端子からの信号のいずれか一方を選択し、無線接続手段を介して携帯端末に出力するステップとを含む。
【発明の効果】
【００１７】
携帯端末が卓上充電器にセットされた状態において、安定したＤＴＶ放送の受信が可能となる。
【発明を実施するための最良の形態】
【００１８】
以下に、本発明の第１実施形態について添付図面を参照して説明する。
図３Ａ、図３Ｂ、図３Ｃを参照すると、本発明の地上波デジタル（ＤＴＶ）放送受信システムは、卓上充電器１０と、携帯端末２０を含む。
【００１９】
卓上充電器１０は、携帯端末用充電器である。携帯端末２０は、ＤＴＶ放送信号が受信可能な携帯端末である。携帯端末２０は、卓上充電器１０にセット（固定接続）される。すなわち、携帯端末２０は、卓上充電器１０に装着可能である。
【００２０】
図３Ａに示すように、卓上充電器１０は、ＤＴＶ用アンテナ（地上波デジタル放送用アンテナ）１１と、外部無線信号入力端子１２と、切り替えスイッチ１３と、無線接続端子１４と、充電用端子１５と、ＡＣ−ＤＣ変換部１６を備える。
【００２１】
ＤＴＶ用アンテナ１１は、ＤＴＶ放送受信の為のアンテナを示す。ここでは、ＤＴＶ用アンテナ１１は、ＤＴＶ放送信号を受信して、切り替えスイッチ１３に出力する。
【００２２】
外部無線信号入力端子１２は、一般家庭で使用されている室内に引き込まれているＤＴＶ放送視聴用アンテナからの信号（ＤＴＶ放送信号）が入力可能な同軸の端子である。すなわち、外部無線信号入力端子１２は、ＤＴＶ用アンテナ１１以外に、外部で受信された無線信号（ＤＴＶ放送信号）を入力するための端子又は回路を示す。外部無線信号入力端子１２は、外部で受信された無線信号を何らかの通信回線を介して受信し、受信された信号を切り替えスイッチ１３に出力する。ここでは、外部無線信号入力端子１２には、同軸ケーブルが接続されるものとする。
【００２３】
なお、ＤＴＶ放送視聴用アンテナからの信号を受信する以外の事例として、例えば、複数の卓上充電器１０が存在し、各々の卓上充電器１０が外部無線信号入力端子１２を介して相互に接続されている場合に、他の卓上充電器１０のＤＴＶ用アンテナ１１、又は他の卓上充電器１０にセットされた携帯端末２０が受信したＤＴＶ放送信号を、互いの外部無線信号入力端子１２を介して受信する事例が考えられる。
【００２４】
また、外部無線信号入力端子１２が、ＤＴＶ放送信号以外の信号を入力する事例も考えられる。
【００２５】
外部無線信号入力端子１２の他の例として、ＮＩＣ（Ｎｅｔｗｏｒｋ  Ｉｎｔｅｒｆａｃｅ  Ｃａｒｄ）等のネットワークアダプタ、アンテナ、接続口（コネクタ）、通信ポート等が考えられる。外部無線信号入力端子１２が利用する通信回線は、有線／無線を問わない。通信回線の例としては、インターネット、ＬＡＮ（Ｌｏｃａｌ  Ａｒｅａ  Ｎｅｔｗｏｒｋ）、無線ＬＡＮ（Ｗｉｒｅｌｅｓｓ  ＬＡＮ）、ＣＡＴＶ（ケーブルテレビ）、携帯電話網、ＷｉＭＡＸ、３Ｇ（第３世代携帯電話）、専用線、ＩｒＤＡ（Ｉｎｆｒａｒｅｄ  Ｄａｔａ  Ａｓｓｏｃｉａｔｉｏｎ）、Ｂｌｕｅｔｏｏｔｈ（登録商標）等が考えられる。但し、実際には、これらの例に限定されない。
【００２６】
切り替えスイッチ１３は、ＤＴＶ用アンテナ１１の出力と外部無線信号入力端子１２の出力を入力し、これらの入力のいずれか一方を選択して出力する。
【００２７】
無線接続端子１４は、受信された無線信号（ＤＴＶ放送信号）を充電中の携帯端末に出力するための端子又は回路を示す。ここでは、無線接続端子１４は、切り替えスイッチ１３の出力を入力し、入力信号を携帯端末２０に出力する。
【００２８】
充電用端子１５は、充電中の携帯端末に電源電圧（電力）を供給する為の端子又は回路を示す。ここでは、充電用端子１５は、携帯端末２０に電力を供給する。すなわち、卓上充電器１０は、携帯端末２０が充電用端子１５に接触／接続した際に、充電用端子１５を介して携帯端末２０に電力を供給し、携帯端末２０を充電する。なお、実際には、充電用端子１５は、非接触で携帯端末２０を充電するものでも良い。
【００２９】
ＡＣ−ＤＣ変換部１６は、外部から電力を取得する。ここでは、ＡＣ−ＤＣ変換部１６は、外部電源から卓上充電器１０に電力を供給（給電）する。ＡＣ−ＤＣ変換部１６の例として、ＡＣ−ＤＣコンバータ、ＡＣアダプタ等が考えられる。
【００３０】
携帯端末２０は、ＤＴＶ用内蔵アンテナ２１と、ＤＴＶ受信部２２と、ＤＴＶ表示部２３と、充電制御回路２４と、電源回路２５と、バッテリー２６と、切り替えスイッチ２７を備える。
【００３１】
ＤＴＶ用内蔵アンテナ２１は、ＤＴＶ放送受信の為、携帯端末２０に搭載されたアンテナである。
【００３２】
ＤＴＶ受信部２２は、受信されたＤＴＶ放送信号からデータを取得する。ＤＴＶ受信部２２の例として、デジタルテレビチューナ、ワンセグチューナ、デコーダ等が考えられる。
【００３３】
ＤＴＶ表示部２３は、データに基づいて放送番組の映像等を表示する。ここでは、ＤＴＶ表示部２３は、ＤＴＶ受信部２２からのデータに基づいて、音声や動画等を再生する。ＤＴＶ表示部２３の例として、ＬＣＤ（液晶ディスプレイ）やＰＤＰ（プラズマディスプレイ）、有機ＥＬディスプレイ（ｏｒｇａｎｉｃ  ｅｌｅｃｔｒｏｌｕｍｉｎｅｓｃｅｎｃｅ  ｄｉｓｐｌａｙ）等の表示装置、又は、表示内容を壁やスクリーンに投影するプロジェクタ等の映写装置等が考えられる。或いは、ＤＴＶ表示部２３は、外部の表示装置や記憶装置に情報を出力するためのインターフェース（Ｉ／Ｆ：ｉｎｔｅｒｆａｃｅ）でも良い。すなわち、ＤＴＶ表示部２３は、何らかの出力装置であれば良い。但し、実際には、これらの例に限定されない。
【００３４】
充電制御回路２４は、充電器から供給された電力や、電池等に蓄積された電力を取得し、電力の供給先等の制御を行う。ここでは、充電制御回路２４は、卓上充電器１０の充電用端子１５から供給された電力を電源回路２５やバッテリー２６に提供したり、バッテリー２６に蓄積された電力を電源回路２５に提供したりする。
【００３５】
電源回路２５は、供給された電力を内部回路に提供する。ここでは、電源回路２５は、充電制御回路２４から電力を取得し、取得された電力をＤＴＶ受信部２２に提供する。
【００３６】
バッテリー２６は、供給された電力に基づく電気エネルギーを化学エネルギーに変換して蓄え、必要に応じて電気エネルギーに還元する。ここでは、バッテリー２６は、充電制御回路２４から電力を取得し、取得された電力に応じた電荷を蓄積する。
【００３７】
切り替えスイッチ２７は、卓上充電器１０の無線接続端子１４の出力とＤＴＶ用内蔵アンテナ２１の出力を入力し、これらの入力のいずれか一方を選択して出力する。
【００３８】
図４を参照して、本実施形態における動作について説明する。
【００３９】
（１）ステップＳ１０１
切り替えスイッチ１３は、卓上充電器１０に携帯端末２０がセットされた状態において、外部無線信号入力端子１２に同軸ケーブルが接続されると、外部無線信号入力端子１２が何らかの信号を入力しているか確認する。なお、外部無線信号入力端子１２における同軸ケーブルの接続検出には電気的方法や機械的方法等が考えられるが、本実施形態においては、簡単化の為に同軸ケーブルが接続される事によって機械的に切り替えがなされるものとして説明を行う。
【００４０】
（２）ステップＳ１０２
切り替えスイッチ１３は、外部無線信号入力端子１２が何らかの信号を入力すると、外部無線信号入力端子１２からの信号を選択し、無線接続端子１４に出力する。このとき、切り替えスイッチ１３は、外部無線信号入力端子１２からの信号がＤＴＶ放送信号であれば、無線接続端子１４に出力し、外部無線信号入力端子１２からの信号がＤＴＶ放送信号で無ければ、無線接続端子１４に出力しないようにしても良い。
【００４１】
（３）ステップＳ１０３
切り替えスイッチ１３は、外部無線信号入力端子１２が何も信号を入力していない状態であれば、ＤＴＶ用アンテナ１１からの信号を選択し、無線接続端子１４に出力する。
【００４２】
（４）ステップＳ１０４
無線接続端子１４は、卓上充電器１０に携帯端末２０がセットされた状態において、切り替えスイッチ１３の出力を入力し、携帯端末２０の切り替えスイッチ２７に出力する。
【００４３】
（５）ステップＳ１０５
切り替えスイッチ２７は、卓上充電器１０に携帯端末２０がセットされた状態において、無線接続端子１４の出力を入力する。ここでは、切り替えスイッチ２７は、無線接続端子１４を介して供給されるＤＴＶ放送信号を入力する。このとき、切り替えスイッチ２７は、無線接続端子１４の出力がＤＴＶ放送信号でなければ、通常のデータ信号と判断して処理を行う。例えば、切り替えスイッチ２７は、無線接続端子１４の出力を通常のデータ信号と判断した場合、プロセッサやメモリ等に出力するようにしても良い。また、切り替えスイッチ２７は、無線接続端子１４の出力がＤＴＶ放送信号でなければ、入力しないようにしても良い。
【００４４】
（６）ステップＳ１０６
切り替えスイッチ回路２７は、ＤＴＶ用内蔵アンテナ２１の出力（ＤＴＶ放送信号）と無線接続端子１４を介して供給されるＤＴＶ放送信号のいずれか一方を選択し、ＤＴＶ受信部２２に出力する。なお、切り替えスイッチ回路２７は、いずれか一方しか入力していない場合、入力された信号をそのまま出力するようにしても良い。
【００４５】
（７）ステップＳ１０７
ＤＴＶ受信部２２は、ＤＴＶ放送信号を受信した場合、ＤＴＶ放送信号を信号処理して画像データ（映像データ）を生成し、ＤＴＶ表示部２３に出力する。画像データは、動画データを想定しているが、実際には、静止画データや、音声データでも良い。
【００４６】
（８）ステップＳ１０８
ＤＴＶ表示部２３は、信号処理された画像データを表示する。
【００４７】
以上説明したように、本発明においては、ＤＴＶ放送信号が受信可能な携帯端末用の卓上充電器は、ＤＴＶ用外部無線信号入力端子を備え、外部無線信号入力端子に一般家庭でＤＴＶ視聴時に使用される、高利得の屋外アンテナからの信号を接続可能にする。これにより、携帯端末が卓上充電器にセットされた際に、携帯端末に対し無線接続手段に接続された切り替えスイッチを介して、卓上充電器に備えられたＤＴＶ用アンテナからの信号か、ＤＴＶ用外部無線信号入力端子からの信号のいずれか一方を選択し供給する事によって、より安定したＤＴＶ放送の受信が可能となる
【００４８】
以下に、本発明の第２実施形態について説明する。
図５を参照すると、本発明の地上波デジタル（ＤＴＶ）放送受信システムは、卓上充電器１０と、携帯端末２０を含む。
【００４９】
卓上充電器１０、及び携帯端末２０は、第１実施形態と同様である。
【００５０】
図５に示すように、卓上充電器１０は、ＤＴＶ用アンテナ１１と、外部無線信号入力端子１２と、切り替えスイッチ１３と、ＡＣ−ＤＣ変換部１６と、コンデンサ１７と、充電用端子兼無線接続部１８を備える。
【００５１】
ＤＴＶ用アンテナ１１、外部無線信号入力端子１２、切り替えスイッチ１３、及びＡＣ−ＤＣ変換部１６は、基本的に第１実施形態と同様である。
【００５２】
コンデンサ１７は、直流電流を蓄積し、交流電流に対しては周波数により抵抗値の変化する「抵抗」として機能する。ここでは、コンデンサ１７は、切り替えスイッチ１３の出力（ＤＴＶ放送信号等）を入力し、ＡＣ−ＤＣ変換部１６の出力に重畳（ｏｖｅｒｌａｙ）して充電用端子兼無線接続部１８に出力する。
【００５３】
充電用端子兼無線接続部１８は、充電用端子としての機能と、無線接続端子としての機能を併せ持つ。ここでは、充電用端子兼無線接続部１８は、第１実施形態における無線接続端子１４と充電用端子１５の兼用端子である。充電用端子兼無線接続部１８は、切り替えスイッチ１３の出力が重畳されたＡＣ−ＤＣ変換部１６の出力を入力し、携帯端末２０に出力する。このとき、充電用端子兼無線接続部１８は、充電用電源ラインにＤＴＶ放送信号が重畳された状態で、携帯端末２０に電力を供給する。
【００５４】
携帯端末２０は、ＤＴＶ用内蔵アンテナ２１と、ＤＴＶ受信部２２と、ＤＴＶ表示部２３と、充電制御回路２４と、電源回路２５と、バッテリー２６と、切り替えスイッチ２７と、コンデンサ２８を備える。
【００５５】
ＤＴＶ用内蔵アンテナ２１、ＤＴＶ受信部２２、ＤＴＶ表示部２３、充電制御回路２４、電源回路２５、及びバッテリー２６は、基本的に第１実施形態と同様である。
【００５６】
ここでは、充電制御回路２４は、卓上充電器１０の充電用端子兼無線接続部１８から供給された電力を電源回路２５やバッテリー２６に提供したり、バッテリー２６に蓄積された電力を電源回路２５に提供したりする。
【００５７】
切り替えスイッチ２７は、ＤＴＶ用内蔵アンテナ２１の出力とコンデンサ２８の出力を入力し、これらの入力のいずれか一方を選択して出力する。
【００５８】
コンデンサ２８は、直流電流を蓄積し、交流電流に対しては周波数により抵抗値の変化する「抵抗」として機能する。ここでは、コンデンサ２８は、卓上充電器１０の充電用端子兼無線接続部１８の出力を入力し、切り替えスイッチ２７に出力する。
【００５９】
図６を参照して、本実施形態における動作について説明する。
【００６０】
（１）ステップＳ２０１
切り替えスイッチ１３は、卓上充電器１０に携帯端末２０がセットされた状態において、外部無線信号入力端子１２に同軸ケーブルが接続されると、外部無線信号入力端子１２が何らかの信号を入力しているか確認する。
【００６１】
（２）ステップＳ２０２
切り替えスイッチ１３は、外部無線信号入力端子１２が何らかの信号を入力すると、外部無線信号入力端子１２からの信号を選択し、コンデンサ１７に出力する。このとき、切り替えスイッチ１３は、外部無線信号入力端子１２からの信号がＤＴＶ放送信号であれば、コンデンサ１７に出力し、外部無線信号入力端子１２からの信号がＤＴＶ放送信号で無ければ、コンデンサ１７に出力しないようにしても良い。
【００６２】
（３）ステップＳ２０３
切り替えスイッチ１３は、外部無線信号入力端子１２が何も信号を入力していない状態であれば、ＤＴＶ用アンテナ１１からの信号を選択し、コンデンサ１７に出力する。
【００６３】
（４）ステップＳ２０４
コンデンサ１７は、切り替えスイッチ１３の出力（ＤＴＶ放送信号等）を入力し、ＡＣ−ＤＣ変換部１６の出力に重畳して充電用端子兼無線接続部１８に出力する。
【００６４】
（５）ステップＳ２０５
充電用端子兼無線接続部１８は、卓上充電器１０に携帯端末２０がセットされた状態において、コンデンサ１７の出力が重畳されたＡＣ−ＤＣ変換部１６の出力を入力し、携帯端末２０の充電制御回路２４及びコンデンサ２８に出力する。このとき、充電制御回路２４は、充電用端子兼無線接続部１８の出力を電力供給として処理する。
【００６５】
（６）ステップＳ２０６
コンデンサ２８は、充電用端子兼無線接続部１８の出力を入力し、一時的に蓄積し、切り替えスイッチ２７に出力する。すなわち、コンデンサ２８は、充電用端子兼無線接続部１８の出力を一時的に保持し、切り替えスイッチ２７に出力する。
【００６６】
（７）ステップＳ２０７
切り替えスイッチ２７は、卓上充電器１０に携帯端末２０がセットされた状態において、コンデンサ２８の出力を入力する。ここでは、切り替えスイッチ２７は、コンデンサ２８を介して供給されるＤＴＶ放送信号を入力する。このとき、切り替えスイッチ２７は、ＤＴＶ用内蔵アンテナ２１の出力（ＤＴＶ放送信号）を入力する場合、コンデンサ２８の出力を入力するようにしても良い。すなわち、切り替えスイッチ２７は、ＤＴＶ用内蔵アンテナ２１がＤＴＶ放送信号を受信した際に、コンデンサ２８に保持された信号を取得するようにしても良い。
【００６７】
（８）ステップＳ２０８
切り替えスイッチ回路２７は、ＤＴＶ用内蔵アンテナ２１の出力（ＤＴＶ放送信号）とコンデンサ２８を介して供給されるＤＴＶ放送信号のいずれか一方を選択し、ＤＴＶ受信部２２に出力する。なお、切り替えスイッチ回路２７は、いずれか一方しか入力していない場合、入力された信号をそのまま出力するようにしても良い。
【００６８】
（９）ステップＳ２０９
ＤＴＶ受信部２２は、ＤＴＶ放送信号を受信した場合、ＤＴＶ放送信号を信号処理して画像データ（映像データ）を生成し、ＤＴＶ表示部２３に出力する。画像データは、動画データを想定しているが、実際には、静止画データや、音声データでも良い。
【００６９】
（１０）ステップＳ２１０
ＤＴＶ表示部２３は、信号処理された画像データを表示する。
【００７０】
本実施形態では、第１実施形態において説明した卓上充電器１０において、切り替えスイッチ１３の出力は、コンデンサ１７を介してＡＣ−ＤＣ変換部１６の出力に重畳され、充電用端子兼無線接続部１８に入力された後、コンデンサ２８を介して切り替えスイッチ２７に入力される。すなわち、コンデンサ１７は、切り替えスイッチ１３の出力を、ＡＣ−ＤＣ変換部１６の出力に重畳する。充電用端子兼無線接続部１８は、重畳された切り替えスイッチ１３の出力を入力し、コンデンサ２８を介して切り替えスイッチ２７に出力する。
【００７１】
なお、ＡＣ−ＤＣ変換部１６の出力は、高周波信号を重畳する為に、高周波的にはハイインピーダンスであるものとする。すなわち、ＡＣ−ＤＣ変換部１６の出力端子は、切り替えスイッチ１３の出力を重畳する為に、回路から電気的に切り離された状態になる。
【００７２】
このように、充電用電源ラインに高周波信号を重畳させることで、ＤＴＶ放送信号を接続する為の専用インターフェースを削除する事が可能となり、機械的な接点数が減少する事による信頼性の向上と、コスト削減の効果を有する。
【００７３】
以下に、本発明の第３実施形態について説明する。
図７を参照すると、本発明の地上波デジタル（ＤＴＶ）放送受信システムは、卓上充電器１０と、携帯端末２０を含む。
【００７４】
卓上充電器１０、及び携帯端末２０は、第１実施形態と同様である。
【００７５】
図７に示すように、卓上充電器１０は、ＤＴＶ用アンテナ１１と、外部無線信号入力端子１２と、切り替えスイッチ１３と、無線接続端子１４と、充電用端子１５と、ＡＣ−ＤＣ変換部１６と、低雑音増幅器（ＬＮＡ：Ｌｏｗ  Ｎｏｉｓｅ  Ａｍｐｌｉｆｉｅｒ）１９を備える。
【００７６】
ＤＴＶ用アンテナ１１、外部無線信号入力端子１２、切り替えスイッチ１３、無線接続端子１４、充電用端子１５、及びＡＣ−ＤＣ変換部１６は、基本的に第１実施形態と同様である。
【００７７】
低雑音増幅器１９は、ＤＴＶ放送信号を増幅する。ここでは、低雑音増幅器１９は、切り替えスイッチ１３の出力を入力して増幅し、無線接続端子１４に出力する。この場合、無線接続端子１４は、増幅されたＤＴＶ放送信号を携帯端末２０に出力する。また、低雑音増幅器１９は、ＡＣ−ＤＣ変換部１６の出力（充電用電源ライン）により、駆動する。
【００７８】
携帯端末２０は、ＤＴＶ用内蔵アンテナ２１と、ＤＴＶ受信部２２と、ＤＴＶ表示部２３と、充電制御回路２４と、電源回路２５と、バッテリー２６と、切り替えスイッチ２７を備える。
【００７９】
ＤＴＶ用内蔵アンテナ２１、ＤＴＶ受信部２２、ＤＴＶ表示部２３、充電制御回路２４、電源回路２５、バッテリー２６、及び切り替えスイッチ２７は、基本的に第１実施形態と同様である。
【００８０】
図８を参照して、本実施形態における動作について説明する。
【００８１】
（１）ステップＳ３０１
切り替えスイッチ１３は、卓上充電器１０に携帯端末２０がセットされた状態において、外部無線信号入力端子１２に同軸ケーブルが接続されると、外部無線信号入力端子１２が何らかの信号を入力しているか確認する。
【００８２】
（２）ステップＳ３０２
切り替えスイッチ１３は、外部無線信号入力端子１２が何らかの信号を入力すると、外部無線信号入力端子１２からの信号を選択し、無線接続端子１４に出力する。このとき、切り替えスイッチ１３は、外部無線信号入力端子１２からの信号がＤＴＶ放送信号であれば、無線接続端子１４に出力し、外部無線信号入力端子１２からの信号がＤＴＶ放送信号で無ければ、無線接続端子１４に出力しないようにしても良い。
【００８３】
（３）ステップＳ３０３
切り替えスイッチ１３は、外部無線信号入力端子１２が何も信号を入力していない状態であれば、ＤＴＶ用アンテナ１１からの信号を選択し、低雑音増幅器１９に出力する。
【００８４】
（４）ステップＳ３０４
低雑音増幅器１９は、切り替えスイッチ１３の出力を入力して増幅し、無線接続端子１４に出力する。ここでは、低雑音増幅器１９は、ＤＴＶ放送信号を入力し、入力されたＤＴＶ放送信号を増幅し、無線接続端子１４に出力する。
【００８５】
（５）ステップＳ３０５
無線接続端子１４は、卓上充電器１０に携帯端末２０がセットされた状態において、低雑音増幅器１９の出力を入力し、携帯端末２０の切り替えスイッチ２７に出力する。
【００８６】
（６）ステップＳ３０６
切り替えスイッチ２７は、卓上充電器１０に携帯端末２０がセットされた状態において、無線接続端子１４の出力を入力する。ここでは、切り替えスイッチ２７は、無線接続端子１４を介して供給されるＤＴＶ放送信号を入力する。このとき、切り替えスイッチ２７は、無線接続端子１４の出力がＤＴＶ放送信号でなければ、通常のデータ信号と判断して処理を行う。例えば、切り替えスイッチ２７は、無線接続端子１４の出力を通常のデータ信号と判断した場合、プロセッサやメモリ等に出力するようにしても良い。また、切り替えスイッチ２７は、無線接続端子１４の出力がＤＴＶ放送信号でなければ、入力しないようにしても良い。
【００８７】
（７）ステップＳ３０７
切り替えスイッチ回路２７は、ＤＴＶ用内蔵アンテナ２１の出力（ＤＴＶ放送信号）と無線接続端子１４を介して供給されるＤＴＶ放送信号のいずれか一方を選択し、ＤＴＶ受信部２２に出力する。なお、切り替えスイッチ回路２７は、いずれか一方しか入力していない場合、入力された信号をそのまま出力するようにしても良い。
【００８８】
（８）ステップＳ３０８
ＤＴＶ受信部２２は、ＤＴＶ放送信号を受信した場合、ＤＴＶ放送信号を信号処理して画像データ（映像データ）を生成し、ＤＴＶ表示部２３に出力する。画像データは、動画データを想定しているが、実際には、静止画データや、音声データでも良い。
【００８９】
（９）ステップＳ３０９
ＤＴＶ表示部２３は、信号処理された画像データを表示する。
【００９０】
本実施形態においては、第１実施形態で説明された卓上充電器１０の切り替えスイッチ１３の出力端子に低雑音増幅器（ＬＮＡ）１９を接続し、ＤＴＶ放送信号を増幅し携帯端末２０に供給する事で、受信品質の向上を図るものである。低雑音増幅器１９の駆動電源としては、携帯端末２０を充電する為に供給されるＡＣ−ＤＣ変換部１６の出力を用いる事が可能である。
【００９１】
以下に、本発明の第４実施形態について説明する。
図９を参照すると、本発明の地上波デジタル（ＤＴＶ）放送受信システムは、卓上充電器１０と、携帯端末２０と、放熱プレート３０を含む。
【００９２】
卓上充電器１０、及び携帯端末２０は、第１実施形態と同様である。
【００９３】
放熱プレート３０は、卓上充電器１０上に設置され、携帯端末２０と接触する事によって、携帯端末２０の温度上昇を抑制する。
【００９４】
本実施形態においては、第１実施形態で説明された卓上充電器１０に放熱プレート３０を備え、携帯端末２０と接触させる事によって、携帯端末２０の温度上昇を抑制し、充電とＤＴＶ視聴を同時に実現する事が可能である。
【００９５】
なお、上記の各実施形態は、組み合わせて実施することも可能である。
【００９６】
以上のように、本発明は、地上波デジタル放送が受信可能な携帯端末用の卓上充電器において、携帯端末充電の為の充電用端子と、携帯端末と接続する無線接続手段と、地上波デジタル放送用アンテナと、地上波デジタル用外部無線信号入力端子と、切り替えスイッチによって構成され、携帯端末が卓上充電器にセットされた際に、携帯端末に対し、無線接続手段に接続された切り替えスイッチを介して、地上波デジタル放送用アンテナからの信号か、地上波デジタル放送用外部無線信号入力端子からの信号のいずれか一方を選択し供給する事を特徴とする装置を提供する。
【００９７】
また、卓上充電器において、外部無線信号入力端子に、地上波デジタル放送用屋外アンテナからの信号を接続可能な同軸コネクタを有する事を特徴とする。
【００９８】
また、卓上充電器において、切り替えスイッチの出力を携帯端末充電の為の充電用電源ラインに重畳させ携帯端末に供給することを特徴とする。
【００９９】
また、卓上充電器において、切り替えスイッチの出力に、低雑音増幅器を挿入し、携帯端末へ供給する地上波デジタル放送信号を増幅する事を特徴とする。
【０１００】
また、卓上充電器において、地上波デジタル放送が受信可能な携帯端末と接触し、該携帯端末の発する熱を放熱する放熱プレートを有する事を特徴とする。
【０１０１】
本発明においては、ＤＴＶ放送信号が受信可能な携帯端末用の、卓上充電器において、ＤＴＶ用外部無線信号入力端子を備え、外部無線信号入力端子に一般家庭でＤＴＶ視聴時に使用される、屋外アンテナからの信号を接続可能にする事によって、携帯端末が卓上充電器にセットされた際に、携帯端末に対し無線接続手段に接続された切り替えスイッチを介して、卓上充電器に備えられたＤＴＶ用アンテナからの信号か、ＤＴＶ用外部無線信号入力端子からの信号のいずれか一方を選択し供給する。また、卓上充電器において、携帯端末と接触し放熱を促す放熱プレートを備える事によって、携帯端末の温度上昇を抑制する。
【０１０２】
本発明の卓上充電器は、ＤＴＶ用外部無線信号入力端子を備えた卓上充電器であって、携帯端末が卓上充電器にセットされた際に、屋外アンテナからの信号か、卓上充電器に備えられたＤＴＶ用アンテナからの信号かを選択できる特徴を有する。より安定したＤＴＶ放送の受信が可能となる効果に加えて、充電動作とＤＴＶ視聴によるＣＰＵやＤＴＶ表示部への高負荷状態による発熱問題も抑えることができる。
【０１０３】
以上、本発明の実施形態を詳述してきたが、実際には上記の実施形態に限られるものではなく、本発明の要旨を逸脱しない範囲の変更があっても本発明に含まれる。
【図面の簡単な説明】
【０１０４】
【図１】図１は、従来のＤＴＶ放送信号が受信可能な携帯端末を卓上充電器にセットし充電を行いながらＤＴＶ受信を行う事例を説明するための図である。
【図２】図２は、従来のＤＴＶ放送信号が受信可能な携帯端末にＤＴＶ用外部アンテナを接続してＤＴＶ受信を行う事例を説明するための図である。
【図３Ａ】図３Ａは、本発明の第１実施形態における地上波デジタル（ＤＴＶ）放送受信システムの構成例を示すブロック図である。
【図３Ｂ】図３Ｂは、本発明の第１実施形態における地上波デジタル（ＤＴＶ）放送受信システムの卓上充電器のイメージ図である。
【図３Ｃ】図３Ｃは、本発明の第１実施形態における地上波デジタル（ＤＴＶ）放送受信システムの充電時のイメージ図である。
【図４】図４は、本発明の第１実施形態における地上波デジタル（ＤＴＶ）放送受信システムの動作を示すフローチャートである。
【図５】図５は、本発明の第２実施形態における地上波デジタル（ＤＴＶ）放送受信システムの構成例を示すブロック図である。
【図６】図６は、本発明の第２実施形態における地上波デジタル（ＤＴＶ）放送受信システムの動作を示すフローチャートである。
【図７】図７は、本発明の第３実施形態における地上波デジタル（ＤＴＶ）放送受信システムの構成例を示すブロック図である。
【図８】図８は、本発明の第３実施形態における地上波デジタル（ＤＴＶ）放送受信システムの動作を示すフローチャートである。
【図９】図９は、本発明の第４実施形態における地上波デジタル（ＤＴＶ）放送受信システムの卓上充電器のイメージ図である。
【符号の説明】
【０１０５】
１…  卓上充電器
２…  携帯端末
３…  ＤＴＶ用（地上波デジタル放送用）外部アンテナ
１０…  卓上充電器
１１…  ＤＴＶ用アンテナ
１２…  外部無線信号入力端子
１３…  切り替えスイッチ
１４…  無線接続端子
１５…  充電用端子
１６…  ＡＣ−ＤＣ変換部
１７…  コンデンサ
１８…  充電用端子兼無線接続部
１９…  低雑音増幅器（ＬＮＡ：Ｌｏｗ  Ｎｏｉｓｅ  Ａｍｐｌｉｆｉｅｒ）
２０…  携帯端末
２１…  ＤＴＶ用内蔵アンテナ
２２…  ＤＴＶ受信部
２３…  ＤＴＶ表示部
２４…  充電制御回路
２５…  電源回路
２６…  バッテリー
２７…  切り替えスイッチ
２８…  コンデンサ
３０…  放熱プレート
【図１】
2010034921.tif 000003
【図２】
2010034921.tif 000004
【図３Ａ】
2010034921.tif 000005
【図３Ｂ】
2010034921.tif 000006
【図３Ｃ】
2010034921.tif 000007
【図４】
2010034921.tif 000008
【図５】
2010034921.tif 000009
【図６】
2010034921.tif 000010
【図７】
2010034921.tif 000011
【図８】
2010034921.tif 000012
【図９】
2010034921.tif 000013